(57)【特許請求の範囲】
【請求項１】
筐体の開口部をガスケットを介して密閉するように筐体に取り付けられる扉のロックハンドル装置であって、
扉に取り付けられるハンドル組立体と、筐体に取り付けられる受金組立体とを具備し、
前記ハンドル組立体は、扉の前面側に固着される固定受座と、扉の前面と平行な面に沿って回転自在に固定受座に支持され相互に所定の回転角度離れた開位置・半開位置・閉位置の間を正逆回転する操作ハンドルと、前端側が操作ハンドルに固定され扉を垂直に貫通して後端側が扉の裏側への突出するハンドル軸と、ハンドル軸の後端側に固着され操作ハンドルの閉位置において前記受金組立体に係合し開位置において受金組立体から外れる掛金体と、を具備し、
前記受金組立体は、筐体に固定される取付座と、取付座から前記ハンドル軸の軸心に向かって半径方向に延出する係合ピンとを具備し、
前記掛金体は、前記ハンドル軸の先端部からハンドル軸と同心の概略扇型状に半径方向へ延出する係合部を具備し、
前記係合部の前面側には、前記係合ピンの裏側に係合する第１の係合凹部及び第２の係合凹部と、両係合凹部間において斜面を介して前方へ隆起する隆起部とが、前記ハンドル軸と同心円周上に並んで形成され、
前記第１の係合凹部は、前記第２の係合凹部よりも後方に配置され、
前記係合部の裏面側には、中心から外周側に向かって前方へ傾斜する円錐斜面が形成され、
前記係合ピンは、前記係合部の第１又は第２の係合凹部に係合するように突出する係合位置と係合部の外周より半径方向外側へ退避した非係合位置との間を軸方向進退自在で係合位置へ付勢されて前記取付座に支持され、先端部の周縁に前記掛金体の斜面が当接したときに係合ピンを非係合位置へ退避させるように当該斜面に対して摺動する摺動面を具備し、
前記操作ハンドルが半開位置にあるとき前記掛金体の第１の係合凹部に前記係合ピンを係合させることによって前記扉を前記筐体に対して半開状態に配置し、操作ハンドルが閉位置にあるとき掛金体の第２の係合凹部に係合ピンを係合させることによって扉を筐体に対して密閉状態に配置するように構成されることを特徴とする扉のロックハンドル装置。
【請求項２】
前記受金組立体の取付座は、筐体に固定される取付座本体と、前記係合ピンを支持する支持体とを具備し、この支持体は本体に対して前後方向の位置を調整可能に固定され、それによって前記扉の閉鎖位置における前記ガスケットの圧縮量を調整可能であることを特徴とする請求項１に記載の扉のロックハンドル装置。
【請求項３】
前記固定受座と前記操作ハンドルとの間に、開位置、半開位置及び閉位置の各位置において操作ハンドルを保持するデテント機構が設けられることを特徴とする請求項１又は２に記載の扉のロックハンドル装置。
【発明の詳細な説明】
【技術分野】
【０００１】
本発明は、本発明は、スチームオーブンなどにおける扉の開閉操作に使用される扉用ロックハンドル装置に関するものである。
【背景技術】
【０００２】
スチームオーブンなどの調理機器に使用される扉用ロックハンドル装置では、筐体内の蒸気や熱気が逃げないように、ガスケットを介して扉を締め込んで密閉した状態でロックする必要がある。この種の扉用ロックハンドル装置では、扉を貫通するハンドル軸に掛金体が設けられ、この掛金体に係合する受金体が筐体側に設けられ、操作ハンドルの開位置と閉位置間の正逆回転により、掛金体と受金体とが係合、離脱するようになっている。特許文献１に記載のロックハンドル装置においては、受金体がハンドル軸の軸心に向かって延出する係合ピンを具備する。掛金体は、操作ハンドルの閉位置において、係合ピンの裏側に係合する構造である。したがって、扉を密閉する場合には、操作ハンドルを開位置に置いた状態で扉を閉じ、次いで操作ハンドルを閉位置に回転させてガスケットを締め込む必要がある。
【先行技術文献】
【特許文献】
【０００３】
【特許文献１】特開２００９−２９９３６号公報
【発明の概要】
【発明が解決しようとする課題】
【０００４】
上記従来のロックハンドル装置においては、必ず操作ハンドルを開位置に置かないと扉を閉じることができないし、誤って操作ハンドルを閉位置に置いた状態で扉を閉じると、掛金体が受金体に強く衝突して損傷するおそれがある。
したがって、本発明は、ハンドルの回転操作のみによって、ガスケットを圧縮しながら扉を筐体の開口周縁枠に密着させて開口を密閉することができるロックハンドル装置であって、操作ハンドルをどの回転位置において扉を閉じても、損傷のおそれがないものを提供することを目的としている。
【課題を解決するための手段】
【０００５】
以下、添付図面の符号を参照して説明するが、本発明はこれに限定されるものではない。
上記課題を解決するための、本発明の扉用ロックハンドル装置１は、扉５２に取り付けられるハンドル組立体２と、筐体５１に取り付けられる受金組立体３とを具備する。ハンドル組立体２は、固定受座４と、操作ハンドル５と、ハンドル軸６と、掛金体７と、を具備する。固定受座４は扉５２の前面側に固着される。操作ハンドル５は、固定受座に回転自在に支持され、開位置・半開位置・閉位置の間を正逆回転する。ハンドル軸６は、前端側が操作ハンドル５に固定され扉５２を垂直に貫通して後端側が扉５２の裏側への突出する。掛金体７は、ハンドル軸５の後端側に固着され、操作ハンドル５の閉位置において受金組立体３に係合し、開位置において受金組立体３から外れる。受金組立体３は、筐体５１に固定される取付座８と、取付座８からハンドル軸５の軸心に向かって半径方向に延出する係合ピン９とを具備する。掛金体７は、ハンドル軸６の先端部からそれと同心の概略扇型状に半径方向へ延出する係合部１０を具備する。係合部１０の前面側には、受金組立体３の係合ピン９の裏側に係合する第１の係合凹部１０ａ及び第２の係合凹部１０ｂと、両係合凹部１０ａ、１０ｂ間に位置して斜面を介して前方へ隆起する隆起部１０ｃとが、ハンドル軸６と同心円周上に並んで形成される。第１の係合凹部１０ａは、第２の係合凹部１０ｂよりも後方に配置される。係合部１０の裏面側には、中心から外周側に向かって前方へ傾斜する円錐斜面１０ｄが形成される。受金組立体３の係合ピン９は、掛金体７の係合部１０の第１又は第２の係合凹部１０ａ、１０ｂに係合するように突出する係合位置と係合部１０の外周より半径方向外側へ退避した非係合位置との間を軸方向進退自在で、係合位置へ付勢されて取付座８に支持され、先端部の周縁に掛金体７の斜面が当接したときに係合ピン９を非係合位置へ後退させる摺動面９ｂを具備する。操作ハンドル５が半開位置にあるとき、掛金体７の第１の係合凹部１０ａに係合ピン９を係合させることによって扉５２を筐体５１に対して半開状態に配置し、操作ハンドル５が閉位置にあるとき掛金体７の第２の係合凹部１０ｂに係合ピン９を係合させることによって扉５２を筐体５１に対して密閉状態に配置する。
【発明の効果】
【０００６】
本発明の扉用ロックハンドル装置１は、操作ハンドル５の単純な回転操作のみによって、ガスケットを圧縮しながら扉５２を筐体５１の開口周縁枠に密着させて開口を密閉することができ、また操作ハンドル５をどの回転位置において扉５２を閉じる操作を行っても掛金体７を係合ピン９に衝突させることがない。
【図面の簡単な説明】
【０００７】
【図１】本発明に係る扉のロックハンドル装置の正面図である。
【図２】図１のロックハンドル装置の側面図である。
【図３】図１のロックハンドル装置におけるハンドル組立体の側面図である。
【図４】図１のロックハンドル装置におけるハンドル組立体の背面図である。
【図５】図１のロックハンドル装置におけるハンドル組立体の平面図である。
【図６】図３のＶＩ−ＶＩ断面図である。
【図７】図１のロックハンドル装置における受金組立体の断面図である。
【図８】図７の受金組立体の側面図である。
【図９】図７の受金組立体の底面図である。
【発明を実施するための形態】
【０００８】
図面を参照して本発明の実施の形態を説明する。
ロックハンドル装置１は、スチームオーブンなどの筐体５１の扉５２を開閉操作するためのもので、筐体５１と扉５２との間のガスケットを圧縮して開口を密閉した状態で、扉５２を筐体５１にロックすることができる。
【０００９】
図１，２において、ロックハンドル装置１は、筐体５１の開口を開閉するための扉５２に取り付けられるハンドル組立体２と、これと係合、離脱するように筐体５１側に取り付けられる受金組立体３とを具備する。
【００１０】
ハンドル組立体２は、固定受座４と、操作ハンドル５と、ハンドル軸６と、掛金体７と、を具備する。固定受座４は、扉５２の前面側に固着される。
【００１１】
操作ハンドル５は、扉５２の前面と平行な面に沿って回転自在に固定受座６に支持され、相互に所定の回転角度離れた開位置・半開位置・閉位置の間を正逆回転する。
【００１２】
ハンドル軸６は、前端側が操作ハンドル５に固定され、扉５２を垂直に貫通して後端側が扉５２の裏側への突出する。
【００１３】
掛金体７は、ハンドル軸６の後端側に固着され、操作ハンドル５の閉位置において受金組立体３に係合し、開位置において受金組立体３から外れる。
【００１４】
受金組立体３は、筐体５１に固定される取付座８と、取付座８からハンドル軸６の軸心に向かって半径方向に延出する係合ピン９とを具備する。
【００１５】
掛金体７は、ハンドル軸６の先端部からハンドル軸６と同心の概略扇型状に半径方向へ延出する係合部１０を具備する。係合部１０の前面側には、係合ピン９の裏側に係合する第１の係合凹部１０ａ及び第２の係合凹部１０ｂと、両係合凹部１０ａ、１０ｂ間に位置し、斜面を介して前方へ隆起する隆起部１０ｃが、ハンドル軸６と同心円周上に並んで形成される。第１の係合凹部１０ａは、第２の係合凹部１０ｂよりも後方に配置される。係合部１０の裏面側には、中心から外周側に向かって前方へ傾斜する円錐斜面１０ｄが形成される。
【００１６】
受金組立体３の取付座８は、筐体５１に固定される取付座本体１１と、係合ピン９を支持する支持体１２とを具備する。支持体１２は、本体１１に対して前後方向の位置を調整可能に固定され、それによって扉５２の密閉位置におけるガスケットの圧縮量を調整可能である。すなわち、取付座本体１１は、概略四角筒状の枠壁部１１ａと、枠壁部１１ａの後端部から直角に左右へ拡がり、筐体５１にねじ止めされる左右一対の固定板部１１ｂとを具備する。枠壁部１１ａを構成する下部壁１１ｃは、前後方向に長い一対の長孔１１ｄを有し、またその下面は、左右方向に延びる多数の係合溝を有する係合面１１ｅを構成している。枠壁部１１ａを構成する上部壁１１ｆは、ねじ挿通孔１１ｇを有する。
【００１７】
支持体１２は、枠壁部１１ａ内に前後方向に移動自在に嵌合される四角筒状の脚部１２ａと、係合ピン９を軸方向に移動自在に保持するピン保持部１２ｂとを具備する。脚部１２ａの下部壁１２ｃは、長孔１１ｄに対向するねじ孔１２ｄを有し、上部壁１２ｅは、ねじ挿通孔１１ｇに対向する前後方向の長孔１２ｆを有する。ねじ孔１２ｄには、長孔１１ｄを介してボルト１３が螺合され、長孔１２ｆには、ねじ挿通孔１１ｇを介してボルト１４が挿通される。ボルト１４は、脚部１２ａの内側においてナット１５と螺合する。ナット１５は上部壁１２ｅの前後方向の溝１２ｇ内にあって回り止めされ、溝１２ｇに沿ってボルト１４と共に移動可能である。ピン保持部１２ｂは、下方に開放して上下方向に延びるピン保持空間１２ｈを有し、これに、ばね９ａを介して係合ピン９が挿入される。
【００１８】
調整板１６が、ボルト１３で取付座本体１１の下部壁１１ｃの係合面１１ｅに接合される。調整板１６は、下部壁１１ｃの係合面１１ｅに係合する多数の係合溝を有する対応係合面１６ａを有する。ボルト１３は、調整板１６、長孔１１ｄを貫通してねじ孔１２ｄに螺合する。したがって、ボルト１３，１４を緩めることによって、取付座本体１１に対して支持体１２と共に係合ピン９を前後方向に移動させることができ、適宜の位置で両ボルト１３，１４を締め付けて調整板１６を下部壁１１ｃの係合面１１ｅに係合させることによって、取付座本体１１に固定することができる。
【００１９】
係合ピン９は、取付座８に支持され、取付座８から下方へ突出する係合位置と、取付座８内へ押し込まれた非係合位置との間を軸方向に進退自在で、ばね９ａで係合位置へ付勢される。係合ピン９は、係合位置において掛金体７の係合部１０に係合し、非係合位置において係合部１０の外周より半径方向外側へ退避する。係合ピン９の先端部の周縁には、掛金体７の斜面１０ｄが当接したとき、当該斜面に対して摺動し、係合ピン９を非係合位置へ退避させるようにする摺動面９ｂを具備する。
【００２０】
操作ハンドル５が半開位置にあるとき、掛金体７の第１の係合凹部１０ａに係合ピン９が係合し、扉５２を筐体５１に対して半開状態に配置する。操作ハンドル５が閉位置にあるとき、掛金体７の第２の係合凹部１０ｂに係合ピン９が係合し、ガスケットを圧縮した状態で扉５２を筐体５１に対して密閉する。操作ハンドル５が開位置にあるとき、掛金体７が係合ピン９から外れて、扉５２を開放することができる。操作ハンドル５を閉位置から開位置へ回転する途上で、半開位置を経ることにより、この位置で筐体５１内の高温高圧の蒸気を逃がして安全に扉５２を全開することができる。
【００２１】
操作ハンドル５が半開位置又は閉位置にある状態で、扉５２を閉じようとすると、掛金体７の後部の円錐斜面１０ｄが、係合ピン９の摺動面９ｂに摺接して係合ピン９を非係合位置へ押し上げるので、衝突による無理な応力がかからない。半開位置で閉扉する場合、掛金体７が進路を妨げられることなく係合ピン９を通過可能とすることもできる。この場合、通過と同時に係合ピン９がばね９ａにより係合位置へ突出し、第１の係合凹部１０ａに係合し、扉５２は半開状態で保持される。さらに閉位置へ操作ハンドル５を回転させれば、ガスケットを圧縮して扉５２が密閉ロックされる。半開位置及び閉位置からは、操作ハンドル５を開位置へ回転させない限り扉５２を開くことができない。
【００２２】
なお、図示しないが、固定受座４と操作ハンドル５との間に、開位置、半開位置及び閉位置の各回転位置において、操作ハンドル５を保持するデテント機構が設けられる。
【符号の説明】
【００２３】
１      ロックハンドル装置
２      ハンドル組立体
３      受金組立体
４      固定受座
５      操作ハンドル
６      ハンドル軸
７      掛金体
８      取付座
９      係合ピン
９ａ    ばね
９ｂ    摺動面
１０    係合部
１０ａ  第１の係合凹部
１０ｂ  第２の係合凹部
１０ｃ  隆起部
１０ｄ  円錐斜面
１１    取付座本体
１１ａ  枠壁部
１１ｂ  固定板部
１１ｃ  下部壁
１１ｄ  長孔
１１ｅ  係合面
１１ｆ  上部壁
１１ｇ  ねじ挿通孔
１２    支持体
１２ａ  脚部
１２ｂ  ピン保持部
１２ｃ  下部壁
１２ｄ  ねじ孔
１２ｅ  上部壁
１２ｆ  長孔
１２ｇ  溝
１１ｈ  ピン保持空間
１３    ボルト
１４    ボルト
１５    ナット
１６    調整板
５１    筐体
５２    扉
【要約】
【課題】操作ハンドルがどの回転位置にあっても扉を閉じることができる扉用ロックハンドル装置を提供する。
【解決手段】操作ハンドル５が半開位置又は閉位置にある状態で、扉５２を閉じようとすると、掛金体７の後部の円錐斜面１０ｄが、係合ピン９の摺動面９ｂに摺接して係合ピン９を非係合位置へ押し上げるので、掛金体７は係合ピン９に衝突することがなく、両者が過大な応力を受けることがない。掛金体７が係合ピン９を通過できる場合には、通過と同時に、係合ピン９がばね９ａにより係合位置へ突出し、第１又は第２の係合凹部１０ａ、１０ｂに係合する。この状態からは、操作ハンドル５を開位置へ回転させない限り扉５２を開くことができない。
【選択図】図２【図１】
0005957565.tif 000002
【図２】
0005957565.tif 000003
【図３】
0005957565.tif 000004
【図４】
0005957565.tif 000005
【図５】
0005957565.tif 000006
【図６】
0005957565.tif 000007
【図７】
0005957565.tif 000008
【図８】
0005957565.tif 000009
【図９】
0005957565.tif 000010